(57)【特許請求の範囲】
【請求項１】
四角状側蓋下板、六角形底板、四角状後板、六角形上板および四角状側蓋上板が順次、それぞれの横折罫を介して連設し、前記六角形底板の左右上部に底板用左斜上側板と底板用右斜上側板を、左右下部に底板用左斜下側板と底板用右斜下側板を、六角形上板の左右上部に上板用左斜上側板と上板用右斜上側板を、左右下部に上板用左斜下側板と上板用右斜下側板をそれぞれの斜め折罫を介して連設してなる六角柱型紙箱において、前記側蓋下板の左右と、後板の左右と、側蓋上板の左右にそれぞれの縦折罫を介して略台形状のフラップを設け、前記底板用左斜上側板と底板用右斜上側板の下辺もしくは底板用左斜下側板と底板用右斜下側板の上辺もしくは上板用左斜上側板と上板用右斜上側板の下辺もしくは上板用左斜下側板と上板用右斜下側板の上辺にそれぞれの斜め折罫を介して略台形状のフラップを設け、前記側蓋下板とその左右に設けられたフラップの略中央に、後板とその左右に設けられたフラップの略中央に、および側蓋上板とその左右に設けられたフラップの略中央にサック貼り時用折罫を施してなることを特徴とする六角柱型紙箱。
【請求項２】
前記上板から側蓋上板の先端にかけて底のない略ガラス瓶状のジッパー切り込み線と、前記側蓋下板の中央部より下に略横長山の字形状の差込み用切り込み線を設けてなることを特徴とする請求項１記載の六角柱型紙箱。
【発明の詳細な説明】
【０００１】
【発明の属する技術分野】
本発明は、六角柱型紙箱に関するものであり、特に、菓子などを収納する上部開封型（トップオープンタイプ）で再封可能な六角柱型紙箱に関する。
【０００２】
【従来の技術】
従来より、菓子なを収納する六角柱型紙箱が知られ、ユニークな形状の紙箱として採用されているが、この種の箱の生産に際し、特に自動サック貼り機に適用困難な形状であり、手貼り等で行わざるを得ないため、生産コストの面で問題があった。
【０００３】
すなわち、上記の自動サック貼り機に不適とは、六角柱型紙箱を形成する側板やフラップが自動サック貼り機ライン上で引っかかったりしてスムーズに流れないという問題があり、その問題点について、具体的には〔発明の実施の形態〕の項で詳述する。
【０００４】
【発明が解決しようとする課題】
本発明は、かかる従来技術の問題点を解決するものであり、その課題とするところは、菓子などを収納する六角柱型紙箱であって、トップオープンタイプで再封性を有する、かつ自動サック貼り機に適用可能な六角柱型紙箱を提供することにある。
【０００５】
【課題を解決するための手段】
本発明に於いて上記課題を達成するために、まず請求項１の発明では、四角状側蓋下板、六角形底板、四角状後板、六角形上板および四角状側蓋上板が順次、それぞれの横折罫を介して連設し、前記六角形底板の左右上部に底板用左斜上側板と底板用右斜上側板を、左右下部に底板用左斜下側板と底板用右斜下側板を、六角形上板の左右上部に上板用左斜上側板と上板用右斜上側板を、左右下部に上板用左斜下側板と上板用右斜下側板をそれぞれの斜め折罫を介して連設してなる六角柱型紙箱において、前記側蓋下板の左右と、後板の左右と、側蓋上板の左右にそれぞれの縦折罫を介して略台形状のフラップを設け、前記底板用左斜上側板と底板用右斜上側板の下辺もしくは底板用左斜下側板と底板用右斜下側板の上辺もしくは上板用左斜上側板と上板用右斜上側板の下辺もしくは上板用左斜下側板と上板用右斜下側板の上辺にそれぞれの斜め折罫を介して略台形状のフラップを設け、かつ前記側蓋下板とその左右に設けられたフラップの略中央に、後板とその左右に設けられたフラップの略中央に、および側蓋上板とその左右に設けられたフラップの略中央にサック貼り時用折罫を施してなることを特徴とする六角柱型紙箱としたものである。
【０００６】
また、請求項２の発明では、前記上板から側蓋上板の先端にかけて底のない略ガラス瓶状のジッパー切り込み線と、前記側蓋下板の中央部より下に略横長山の字形状の差込み用切り込み線を設けてなることを特徴とする請求項１記載の六角柱型紙箱としたものである。
【０００７】
【発明の実施の形態】
以下本発明の実施の形態を図面を用いて詳しく説明する。
図１は、本発明の六角柱型紙箱のフランクスの一例を示すもので、四角状側蓋下板（１１）、六角形底板（１２）、四角状後板（１３）、六角形上板（１４）および四角状側蓋上板（１５）が順次、それぞれの横折罫（ｌ1,ｌ2,ｌ3,ｌ4 ）を介して連設し、前記六角形底板（１２）の左右上部に底板用左斜上側板（２０）と底板用右斜上側板（２１）を、左右下部に底板用左斜下側板（２２）と底板用右斜下側板（２３）を、六角形上板（１４）の左右上部に上板用左斜上側板（２４）と上板用右斜上側板（２５）を、左右下部に上板用左斜下側板（２６）と上板用右斜下側板（２７）をそれぞれの斜め折罫（ｎ1,ｎ2,ｎ3,ｎ4,ｎ5,ｎ6,ｎ7,ｎ8 ）を介して連設しているものであり、特徴とするところは、まずフラップの位置であり、この例では、前記側蓋下板（１１）の左右と後板（１３）の左右と側蓋上板（１５）の左右にそれぞれの縦折罫（ｍ1,ｍ2,ｍ3,ｍ4,ｍ5,ｍ6 ）を介して略台形状のフラップ（２８）を設け、さらに前記底板用左斜下側板（２２）と底板用右斜下側板（２３）の上辺にそれぞれの折罫（ｋ1,ｋ2 ）を介して略台形状のフラップ（２８）を設けたことにある。
【０００８】
上記フラップ（２８）の位置は、図２に示すブランクス（２）の例のように、側蓋下板（１１）の左右に設けなくともよく、また、上記図１に示す事例での底板用左斜下側板（２２）と底板用右斜下側板（２３）の上辺に設ける代わりに、底板用左斜上側板（２０）と底板用右斜上側板（２１）の下辺に設けてもよい。さらに図示しないが上板用左斜上側板（２４）と上板用右斜上側板（２５）の下辺もしくは上板用左斜下側板（２６）と上板用右斜下側板（２７）の上辺に折罫を介して設けてもよい。
【０００９】
また、前記側蓋下板（１１）とその左右に設けられたフラップ（２８）の略中央と、後板（１３）とその左右に設けられたフラップ（２８）の略中央と、および側蓋上板（１５）とその左右に設けられたフラップ（２８）の略中央とにサック貼り時用折罫（ｈ3,ｈ1,ｈ2 ）を施したことにある。
【００１０】
上記サック貼り時用折罫は、図２に示すブランクス（２）の事例のように、側蓋下板（１１）が図１に示す事例の略１／２の高さであることから、側蓋下板（１１）には施さなくともよい。
【００１１】
以上のような例えば図１に示すブランクス（２）を用いて、自動サック貼り機に装填するに際し、まず後板（１３）中央部に施されたサック貼り時用折罫（ｈ1 ）に従って折られ、側蓋下板（１１）を側蓋上板（１５）にそれぞれに施されたサック貼り時用折罫（ｈ3 ，ｈ2 ）が一致するように（但し、側蓋上板（１５）のジッパー切り込み線（ｇ）内部は除いて）貼着して、図３に示すように、このサック貼り時用折罫（ｈ1 ，ｈ2 ，ｈ3 ）に従って折られた偏平形状の状態で横方向（矢印Ｐ）に搬送される。
【００１２】
上記図３に示す形状からも明らかなように、搬送方向（Ｐ）から見るといずれの側板（上板用左斜上側板（２４）、上板用右斜上側板（２５）、上板用左斜下側板（２６）、上板用右斜下側板（２７））やフラップ（２８）にも引っかかり箇所がなく、自動サック貼り機ラインをスムーズに搬送可能となり、生産性向上に貢献するものである。
【００１３】
これに対し、従来は、例えば図１に示すフラップ（２８）の位置に特徴のあるブランクス（２）を使用したとしても、図４に示すように、横折罫（ｌ3,ｌ1 ）に従って折られた偏平形状の状態で横方向（Ｐ）に搬送されるもので、各側板（上板用左斜上側板（２４）、上板用右斜上側板（２５）、底板用左斜上側板（２０）、底板用右斜上側板（２１））のコーナーが引っかかり箇所となり、よって自動サック貼り機のラインを停止させ、装填不可能となる。
【００１４】
さらに従来のフラップ（２８）の位置は、各側板の同方向の辺に設けていた（図示せず）ので、フラップ（２８）のコーナーも引っかかり箇所となる物であった。
【００１５】
このように、自動サック貼り機に適用可能な六角柱型紙箱では、図１または図２に示すような各フラップの位置と各サック貼り時用折罫を設けることが必要条件となる。
【００１６】
また、請求項２の発明は、図１に示すように、上板（１４）から側蓋上板（１５）の先端（１５ａ）にかけて底のない略ガラス瓶状のジッパー切り込み線（ｇ）を設け、側蓋下板（１１）の中央部より下に略横長山の字形状の差込み用切り込み線（ｆ）を設けて、図５に示すように、製函してなる六角柱型紙箱（１）である。
【００１７】
この六角柱型紙箱（１）の開封に際し、側蓋上板（１５）の先端（１５ａ）からジッパー切り込み線（ｇ）に従って引き裂くものであり、再封に際しては、側蓋上板（１５）の先端（１５ａ）を側蓋下板（１１）に設けられた差込み用切り込み線（ｆ）に差し込むもので、トップオープンタイプの再封可能な六角柱型紙箱（１）とすることができる。
【００１８】
以上の六角柱型紙箱（１）用の紙材として、坪量１００ｇ／ｍ2 程度のコートマニラ、ノーコートマニラ、コートボール、ノーコートボール、コートアイボリーなどを用いることができ、箱のサイズ等によって坪量などを適宜選定するものである。
【００１９】
【発明の効果】
本発明は以上の構成であるから、下記に示す如き効果がある。
即ち、四角状側蓋下板、六角形底板、四角状後板、六角形上板および四角状側蓋上板が順次、それぞれの横折罫を介して連設し、前記六角形底板の左右上部に底板用左斜上側板と底板用右斜上側板を、左右下部に底板用左斜下側板と底板用右斜下側板を、六角形上板の左右上部に上板用左斜上側板と上板用右斜上側板を、左右下部に上板用左斜下側板と上板用右斜下側板をそれぞれの斜め折罫を介して連設してなる六角柱型紙箱において、前記側蓋下板の左右と、後板の左右と、側蓋上板の左右にそれぞれの縦折罫を介して略台形状のフラップを設け、前記底板用左斜上側板と底板用右斜上側板の下部もしくは底板用左斜下側板と底板用右斜下側板の上辺もしくは上板用左斜上側板と上板用右斜上側板の下辺もしくは上板用左斜下側板と上板用右斜下側板の上辺にそれぞれの斜め折罫を介して略台形状のフラップを設け、かつ前記側蓋下板とその左右に設けられたフラップの略中央に、後板とその左右に設けられたフラップの略中央に、および側蓋上板とその左右に設けられたフラップの略中央にサック貼り時用折罫を施すことによって、自動サック貼り機に適用可能となり、よって生産性向上に貢献する六角柱型紙箱とすることができる。
【００２０】
また、上記上板から側蓋上板の先端にかけて底のない略ガラス瓶状のジッパー切り込み線と、上記側蓋下板の中央部より下に略横長山の字形状の差込み用切り込み線を設けることによって、トップオープンタイプの再封可能な六角柱型紙箱とすることができる。
【００２１】
従って本発明は、菓子などを収納するトップオープンタイプで再封可能な六角柱型紙箱の製造において、優れた実用上の効果を発揮する。
【図面の簡単な説明】
【図１】本発明の六角柱型紙箱の一実施の形態例を説明する展開図である。
【図２】本発明の六角柱型紙箱の他の一実施の形態例を説明する展開図である。
【図３】本発明の六角柱型紙箱の一実施の形態例を示すブランクスを自動サック貼り機に適用した時の状態を説明する平面図である。
【図４】従来の六角柱型紙箱のブランクスを自動サック貼り機に適用した時の状態を説明する平面図である。
【図５】本発明の六角柱型紙箱の一実施の形態を説明する斜視図である。
【符号の説明】
１‥‥六角柱型紙箱
２‥‥ブランクス
１１‥‥側蓋下板
１２‥‥底板
１３‥‥後板
１４‥‥上板
１５‥‥側蓋上板
１５ａ‥‥側蓋上板の先端
２０‥‥底板用左斜上側板
２１‥‥底板用右斜上側板
２２‥‥底板用左斜下側板
２３‥‥底板用右斜下側板
２４‥‥上板用左斜上側板
２５‥‥上板用右斜上側板
２６‥‥上板用左斜下側板
２７‥‥上板用右斜下側板
２８‥‥フラップ
Ｐ‥‥搬送（横）方向
ｆ‥‥差込み用切り込み線
ｇ‥‥ジッパー切り込み線
ｈ1,ｈ2,ｈ3 ‥‥サック貼り時用折罫
ｋ1,ｋ2,ｋ3,ｋ4 ‥‥折罫
ｌ1,ｌ2,ｌ3,ｌ4 ‥‥横折罫
ｍ1,ｍ2,ｍ3,ｍ4,ｍ5,ｍ6 ‥‥縦折罫
ｎ1,ｎ2,ｎ3,ｎ4,ｎ5,ｎ6,ｎ7,ｎ8 ‥‥斜め折罫
【図１】
0004045667.tif 000002
【図２】
0004045667.tif 000003
【図３】
0004045667.tif 000004
【図４】
0004045667.tif 000005
【図５】
0004045667.tif 000006